(57)【要約】【課題】加湿水槽や加湿フィルタにヌメリなどが生じないようにして、加湿機能を安定して発揮できるとともに、衛生的で清掃作業が容易にできる加湿装置を提供する。【解決手段】本体１に設けた吸込口１ａと吹出口１ｂを連通し形成される空気流路３に送風機４および加湿フィルタ５を設け、加湿フィルタ５に含水させるための水槽６内に加湿フィルタ５と隙間７を介してイオン化促進部８を着脱可能に配置し、イオン化傾向の異なる２種類の金属部を加湿フィルタ５とイオン化促進部８にそれぞれ付加し、加湿フィルタ５とイオン化促進部８を電気的に接続する接続部１１を設けることにより、簡易な構成かつ省エネルギーで水槽内の微生物の繁殖を抑制して水質を衛生的に保ち、水槽６内または加湿フィルタ５のヌメリや悪臭を防ぐ加湿装置を提供できる。【選択図】図１
2009058210.tif 000002
【特許請求の範囲】
【請求項１】
本体に設けた吸込口と吹出口を連通し形成される空気流路と、この空気流路に設けた送風機および加湿フィルタと、この加湿フィルタに含水させるための水槽と、この水槽内に前記加湿フィルタと隙間を設けて着脱可能に配置したイオン化促進部と、イオン化傾向の異なる少なくとも２種類の金属部を有し、前記加湿フィルタに一方の金属部を付加し、前記イオン化促進部に他方の金属部を付加し、前記加湿フィルタと前記イオン化促進部を電気的に接続する接続部を設けてなる加湿装置。
【請求項２】
加湿フィルタに付加した第１の金属部に対し、相対的にイオン化傾向の高い第２の金属部をイオン化促進部に設けてなる請求項１記載の加湿装置。
【請求項３】
加湿フィルタに付加した第２の金属部に対し、相対的にイオン化傾向の低い第１の金属部をイオン化促進部に設けてなる請求項１記載の加湿装置。
【請求項４】
イオン化促進部は平板状の金属板を備えてなる請求項１〜３いずれかに記載の加湿装置。
【請求項５】
加湿フィルタ周囲を覆う金属ネットを設け、前記金属ネットを金属部とした、請求項１〜４いずれかに記載の加湿装置。
【請求項６】
加湿フィルタとイオン化促進部との隙間を一定に保ちながら、前記加湿フィルタを回転可能に設けた請求項１〜５いずれかに記載の加湿装置。
【請求項７】
本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットと、イオン化傾向の異なる少なくとも２種類の金属部を有し、前記加湿フィルタに一方の金属部を付加し、前記金属ネットを他方の金属部で形成した加湿装置。
【請求項８】
加湿フィルタに付加した第１の金属部を付加し、この第１の金属部に対し、相対的にイオン化傾向の高い第２の金属部により、金属ネットを形成した請求項７記載の加湿装置。
【請求項９】
加湿フィルタに付加した第２の金属部を付加し、この第２の金属部に対し、相対的にイオン化傾向の低い第１の金属部により、金属ネットを形成した請求項７記載の加湿装置。
【請求項１０】
本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットを有し、この金属ネットは、イオン化傾向の異なる少なくとも２種類の金属部で形成されてなる加湿装置。
【請求項１１】
加湿フィルタの一部を水槽に浸漬した状態で、回転可能に設けた請求項７〜１０いずれかに記載の加湿装置。
【発明の詳細な説明】
【技術分野】
【０００１】
本発明は、水槽内の微生物を簡易な構造で除菌できる加湿装置に関する。
【背景技術】
【０００２】
従来、この種の加湿装置の一例として、電力を使用しないで除菌することのできる加湿装置が知られている（例えば、特許文献１参照）。
【０００３】
以下、その加湿装置について図１４および図１５を参照しながら説明する。水供給部と、少なくとも一部が水に浸されるように配置された加湿フィルタ１０１および空気を加湿フィルタ１０１を介して送る送風手段１０２を含む加湿機構と、間隙１０３を設けて設置された酸化還元電位の異なる第１の電極１０４および第２の電極１０５と、この電極１０４、１０５を短絡させる短絡部１０６を具備する除菌装置とを有し、第１の電極１０４の酸化還元電位が第２の電極１０５の酸化還元電位より高く、第１の電極１０４および第２の電極１０５が水に接する位置に配置されている。
【０００４】
加湿装置の水に含まれる微生物は一定の電荷を有しているため、第１の電極１０４から第２の電極１０５に向けて微生物が移動し、電極間の水中から微生物を物理的に排除でき、さらに第２の電極１０５の表面に集積した微生物は、第２の電極１０５の表面から溶出する金属イオンの影響により増殖機能を失って不活化されるものである。
【特許文献１】特開２００４−９３１０８号公報
【発明の開示】
【発明が解決しようとする課題】
【０００５】
このような従来の加湿装置では、加湿装置の水槽内に生存する細菌類の繁殖を防ぐために、水槽内の加湿フィルタの下部に除菌装置を設けているが、設置スペースが必要であり、除菌装置の取り扱いや清掃作業がやや不便であるという課題がある。
【０００６】
本発明は、このような従来の課題を解決するものであり、加湿装置の水槽に大きな設置スペースを必要とせず、水槽内の除菌機能を安定して発揮できるとともに、除菌のための構造が簡単で清掃作業が容易にできる加湿装置を提供することを目的とする。
【課題を解決するための手段】
【０００７】
本発明の加湿装置は、上記目的を達成するために、本体に設けた吸込口と吹出口を連通し形成される空気流路と、この空気流路に設けた送風機および加湿フィルタと、この加湿フィルタに含水させるための水槽と、この水槽内に前記加湿フィルタと隙間を設けて着脱可能に配置したイオン化促進部と、イオン化傾向の異なる少なくとも２種類の金属部を有し、前記加湿フィルタに一方の金属部を付加し、前記イオン化促進部に他方の金属部を付加し、前記加湿フィルタと前記イオン化促進部を電気的に接続する接続部を設けてなるものである。
【０００８】
また、他の手段は、加湿フィルタに付加した第１の金属部に対し、相対的にイオン化傾向の高い第２の金属部をイオン化促進部に設けてなるものである。
【０００９】
また、他の手段は、加湿フィルタに付加した第２の金属部に対し、相対的にイオン化傾向の低い第１の金属部をイオン化促進部に設けてなるものである。
【００１０】
また、他の手段は、イオン化促進部は平板状の金属板を備えてなるものである。
【００１１】
また、他の手段は、加湿フィルタ周囲を覆う金属ネットを設け、前記金属ネットを金属部としたものである。
【００１２】
また、他の手段は、加湿フィルタとイオン化促進部との隙間を一定に保ちながら、前記加湿フィルタを回転可能に設けたものである。
【００１３】
また、他の手段は、本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットと、イオン化傾向の異なる少なくとも２種類の金属部を有し、前記加湿フィルタに一方の金属部を付加し、前記金属ネットを他方の金属部で形成したものである。
【００１４】
また、他の手段は、加湿フィルタに付加した第１の金属部を付加し、この第１の金属部に対し、相対的にイオン化傾向の高い第２の金属部により、金属ネットを形成したものである。
【００１５】
また、他の手段は、加湿フィルタに付加した第２の金属部を付加し、この第２の金属部に対し、相対的にイオン化傾向の低い第１の金属部により、金属ネットを形成したものである。
【００１６】
また、他の手段は、本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットを有し、この金属ネットは、イオン化傾向の異なる少なくとも２種類の金属部で形成されてなるものである。
【００１７】
また、他の手段は、加湿フィルタの一部を水槽に浸漬した状態で、回転可能に設けたものである。
【００１８】
これにより、加湿装置の水槽に大きな設置スペースを必要とせず、水槽内の除菌機能を安定して発揮できるとともに、除菌のための構造が簡単で清掃作業が容易にできる加湿装置が得られる。
【発明の効果】
【００１９】
本発明によれば、簡易な構成かつ省スペースで水槽内の微生物の繁殖を抑制して水質を衛生的に保ち、水槽内または加湿フィルタ表面のヌメリや臭気を防ぐことができるという効果のある加湿装置を提供することができる。
【００２０】
また、加湿フィルタに付加した第１の金属部に対し、相対的にイオン化傾向の高い第２の金属部をイオン化促進部に設けることにより、微生物が捕集されたイオン化促進部のみを洗浄することができ、メンテナンス性を向上することができ、またイオン化傾向の高いイオン化促進部のみを交換して除菌効果を回復させることができる。
【００２１】
また、加湿フィルタに付加した第２の金属部に対し、相対的にイオン化傾向の低い第１の金属部をイオン化促進部に設けることにより、加湿性能が低下した加湿フィルタを交換するだけで、イオン化促進部を交換することなく、長期間安定して除菌機能を発揮することができる。
【００２２】
また、イオン化促進部は平板状の金属板を備えることにより、イオン化促進部を１枚の金属板とすることにより、金属板が平面であるため、洗いやすく、容易に除菌機能を回復させることができ、簡単な構成として安価に製造することができる。
【００２３】
また、加湿フィルタ周囲を覆う金属ネットを設け、前記金属ネットを金属部としたことにより、金属ネットで覆うことにより、加湿フィルタを湿潤・乾燥などの繰り返しの負荷から保護することができ、表面形状が容易に変形しないようにして、長期間安定的に、加湿機能および除菌性能を発揮することができる。
【００２４】
また、加湿フィルタとイオン化促進部との隙間を一定に保ちながら、前記加湿フィルタを回転可能に設けたことにより、加湿フィルタに捕集した微生物が水槽内に洗い出され、さらにイオン化促進部により除菌されるため、加湿フィルタの表面を清潔な状態に保つことができ、さらに加湿フィルタの回転により水槽内の貯水を強制的に対流させ広範囲に除菌機能を発揮することができる。
【００２５】
また、本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットと、イオン化傾向の異なる少なくとも２種類の金属部を有し、前記加湿フィルタに一方の金属部を付加し、前記金属ネットを他方の金属部で形成することにより、水槽内にイオン化促進部などの別部品を設置しなくても、水槽内の貯水を簡単な構成で行なうことができ、部品点数を削減して省スペースで除菌機能を発揮させることができ、さらにイオン化促進部を設けていないため、メンテナンスが容易にでき、加湿フィルタに付着した微生物に対しても除菌機能を発揮することができる。
【００２６】
また、加湿フィルタに付加した第１の金属部を付加し、この第１の金属部に対し、相対的にイオン化傾向の高い第２の金属部により、金属ネットを形成したことにより、微生物が捕集された金属ネットのみを洗浄することで、メンテナンス性を向上することができ、さらに金属ネットの溶出により性能が低下した場合に、金属ネットのみを交換して除菌機能を容易に回復させることができる。
【００２７】
また、加湿フィルタに付加した第２の金属部を付加し、この第２の金属部に対し、相対的にイオン化傾向の低い第１の金属部により、金属ネットを形成したことにより、金属ネットの強度や外観形状を保ち、加湿フィルタを安定して保護するとともに、除菌性能を長期間発揮することができ、さらに加湿フィルのみを交換することにより、加湿機能だけでなく除菌機能も同時に回復することができる。
【００２８】
また、本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットを有し、この金属ネットは、イオン化傾向の異なる少なくとも２種類の金属部で形成することにより、日常の管理において、微生物が捕集された金属ネット表面を洗浄するだけで、簡単なメンテナンスで除菌機能を回復することができ、さらにイオン化が進んで金属ネットが劣化した場合は金属ネットを交換するだけで容易に除菌効果を回復することができる。
【００２９】
また、加湿フィルタの一部を水槽に浸漬した状態で、回転可能に設けたことにより、加湿フィルタに捕集された微生物が洗い出され、異種の金属部で形成された金属ネットに生じる除菌機能により、水中において微生物は不活化され、さらに回転する加湿フィルタを覆う金属ネットの表面積を大きく取れるので、水中における除菌機能を向上することができる。
【発明を実施するための最良の形態】
【００３０】
本発明の請求項１記載の加湿装置は、本体に設けた吸込口と吹出口を連通し形成される空気流路と、この空気流路に設けた送風機および加湿フィルタと、この加湿フィルタに含水させるための水槽と、この水槽内に前記加湿フィルタと隙間を設けて着脱可能に配置したイオン化促進部と、イオン化傾向の異なる少なくとも２種類の金属部を有し、前記加湿フィルタに一方の金属部を付加し、前記イオン化促進部に他方の金属部を付加し、前記加湿フィルタと前記イオン化促進部を電気的に接続する接続部を設けたものであり、水槽内に貯水に隙間を設けて浸漬された加湿フィルタおよびイオン化促進部は、イオン化傾向の異なる金属部をそれぞれ備えて近接して配置され、また接続部により互いに電気的に接合されることにより、水中に介在する隙間には、２種類の金属部間にイオン化傾向の差異に起因する電位差が生まれ、一方の金属部から他方の金属部に微弱電流が流れ、電場を形成しており、また水槽内の貯水には大腸菌や黄色ブドウ球菌などの細菌等の微生物が侵入して繁殖する可能性があるが、その表面電荷として一定のマイナス電荷を有しているため、水中に電場を与えるとその電場の向きに応じて移動するので、マイナスに帯電した微生物が加湿フィルタまたはイオン化促進部の一方の金属部に集められ、水槽中の除菌機能を発揮することができるという作用を有する。
【００３１】
また、加湿フィルタに付加した第１の金属部に対し、相対的にイオン化傾向の高い第２の金属部をイオン化促進部に設けてなるものであり、水中の電位差により発生する電場の向きにより、イオン化傾向の低い金属部からイオン化傾向の高い金属部へと帯電物質を引き寄せることができるので、イオン化促進部を水槽部に着脱可能に設置することにより、イオン化傾向の高い金属部に微生物が捕集されたイオン化促進部のみを洗浄することができ、メンテナンス性を向上することができるとともに、イオン化傾向の高い金属が優先的に溶出する作用により、長期間使用して金属の溶出により性能が低下した場合に、イオン化傾向の高いイオン化促進部のみを交換して除菌効果を回復させることができるという作用を有する。
【００３２】
また、加湿フィルタに付加した第２の金属部に対し、相対的にイオン化傾向の低い第１の金属部をイオン化促進部に設けてなるものであり、イオン化傾向の低い金属部は溶出が少ないので、イオン化促進部にイオン化傾向の低い金属部を設けることにより、イオン化促進部を交換することなく、長期間イオン化を促進する性能を発揮することができ、また長期間の使用にて汚れや劣化により加湿性能が低下する加湿フィルタに、溶出の早いイオン化傾向の高い金属部を付加する構成としているので、加湿性能が低下した加湿フィルを交換するときに、同時に除菌機能も回復することができるという作用を有する。
【００３３】
また、イオン化促進部は平板状の金属板を備えてなるものであり、イオン化促進部を１枚の金属板とすることにより、長期間使用によりイオン化促進部に蓄積された汚れにより除菌性能が低下した場合に、金属板が平面であるため、洗いやすく、容易に除菌機能を回復させることができるという作用を有する。
【００３４】
また、加湿フィルタ周囲を覆う金属ネットを設け、前記金属ネットを金属部としたものであり、加湿フィルタ周囲を金属ネットで覆うことにより、加湿フィルタを湿潤・乾燥などの繰り返しの負荷から保護することができ、また加湿フィルタのメンテナンスなどで手が触れても表面形状が容易に変形しないようにして、長期間安定的に、除菌性能を発揮することができ、さらに金属ネットを加湿フィルタ周囲に覆うことにより、イオン化促進部の金属部との距離を安定して保つことができるという作用を有する。
【００３５】
また、加湿フィルタとイオン化促進部との隙間を一定に保ちながら、前記加湿フィルタを回転可能に設けたものであり、加湿フィルタを回転可能に設けることにより、加湿フィルタが空気中の微生物をろ過して捕集した場合に、加湿フィルタの一部が水没する状態で回転させることによって、加湿フィルタに捕集した微生物が水槽内に洗い出され、さらにイオン化促進部により除菌されるため、加湿フィルタの表面を清潔な状態に保つことができ、また加湿フィルタの回転により水槽内の貯水を強制的に対流させることができ、イオン化促進部に接触する水量を増やすことにより、水槽内の貯水に対して広範囲に除菌機能を発揮することができるという作用を有する。
【００３６】
また、本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットと、イオン化傾向の異なる少なくとも２種類の金属部を有し、前記加湿フィルタに一方の金属部を付加し、前記金属ネットを他方の金属部で形成したものであり、通気性、導電性を有する立体構造の基材に、一方の金属部（微細な金属粒子）を添着して加湿フィルタを形成し、この加湿フィルタの周囲を覆う金属ネットを他方の金属で形成することにより、水槽内にイオン化促進部などの別部品を設置しなくても、水槽内の貯水を簡単な構成で行なうことができ、部品点数を削減して省スペースで除菌機能を発揮させることができるという作用を有する。
【００３７】
また、一方の金属部を付加した加湿フィルタを導電性素材で形成し、金属ネットを密着して覆うことにより、加湿フィルタと金属ネットを電気的に接続させることができるとともに、加湿フィルタの表面側は金属ネットと微小な間隔を有して配置され、イオン化傾向の異なる２種類の金属の距離を確保することができ、水中で確実に除菌機能を発揮させることができ、さらに、別途イオン化促進部を設けていないため、加湿フィルタと金属ネットを洗浄するだけで加湿性能および除菌機能を回復することができ、性能を維持するためのメンテナンスが容易にでき、また水槽内の貯水のみならず、加湿フィルタに付着した微生物に対しても広範囲に除菌機能を発揮することができるという作用を有する。
【００３８】
また、加湿フィルタに付加した第１の金属部を付加し、この第１の金属部に対し、相対的にイオン化傾向の高い第２の金属部により、金属ネットを形成したものであり、金属ネットを着脱可能に設けることにより、除菌作用でイオン化傾向の高い金属部に微生物が捕集された金属ネットのみを洗浄することができ、メンテナンス性を向上することができ、またイオン化傾向の高い金属が優先的に溶出することにより、長期間使用して金属の溶出により性能が低下した場合に、イオン化傾向の高い金属ネットのみを交換して除菌効果を回復させることができるという作用を有する。
【００３９】
また、加湿フィルタに付加した第２の金属部を付加し、この第２の金属部に対し、相対的にイオン化傾向の低い第１の金属部により、金属ネットを形成したものであり、金属ネットにイオン化傾向の低い金属部を設けることにより、金属ネットの強度や外観形状を保ち、加湿フィルタを安定して保護するとともに、長期間イオン化を促進して除菌性能を発揮することができ、さらに、加湿フィルタが長期間の使用にて汚れや劣化により加湿性能が低下するときに、加湿フィルタのみを交換することにより、イオン化傾向の高い金属部を付加した加湿フィルタは除菌機能も低下しているので、加湿機能だけでなく除菌機能も回復することができるという作用を有する。
【００４０】
また、本体に設けた吸込口と吹出口を連通し形成される空気流路と、この空気流路に設けた送風機および加湿フィルタと、この加湿フィルタに含水させるための水槽と、前記加湿フィルタの周囲または一部を覆うように着脱可能に設けた金属ネットを有し、この金属ネットは、イオン化傾向の異なる少なくとも２種類の金属部で形成したものであり、金属ネットにイオン化傾向の異なる２種類の金属部を付加することにより、微生物が捕集された金属ネット表面を洗浄するだけで、除菌効果を回復することができ、メンテナンス性を向上することができ、さらに長期間使用して除菌性能が低下しても、金属ネットを交換するだけで除菌効果を回復することができるという作用を有する。
【００４１】
また、加湿フィルタの一部を水槽に浸漬した状態で、回転可能に設けたものであり、加湿フィルタが空気中の微生物をろ過捕集し、加湿フィルタの一部が水没する状態で回転させることによって、加湿フィルタに捕集された微生物が洗い出され、異種の金属部で形成された金属ネットに生じる除菌機能により、水中において微生物は不活化されるため、水槽内の貯水を清潔な状態に保つことができ、また回転可能な加湿フィルタを覆う金属ネットの表面積を大きく取れるので金属ネットの劣化が少なくなり、水中における除菌機能を安定的に維持することができるという作用を有する。
【００４２】
以下、本発明の実施の形態について、図面を参照しながら説明する。
【００４３】
（実施の形態１）
図１〜図４に示すように、本体１に設けた吸込口１ａと吹出口１ｂを連通して空気流路３を形成し、この空気流路３には送風機４および加湿フィルタ５を設けている。加湿フィルタ５に含水させるための水槽６を本体１に設け、水槽６内には加湿フィルタ５と隙間７を介してイオン化促進部８を着脱可能に配置している。本実施の形態では、加湿フィルタ５に第１の金属部９として、相対的にイオン化傾向の低い銅の金属粒子を添着し、水槽６内に設けたイオン化促進部８には、第２の金属部１０として相対的にイオン化傾向の高い平板状の亜鉛板を装着している。導電材料で形成され接続部１１は、加湿フィルタ５とイオン化促進部８を電気的に接続している。
【００４４】
また、図５に示すように、加湿フィルタ５の周囲を覆う金属ネット１３を設け、金属ネット１３を第１の金属部９としての銅で形成してもよいものである。
【００４５】
さらに、図６に示すように、加湿フィルタ５とイオン化促進部８との隙間７を一定に保ちながら、加湿フィルタ５を回転可能に設ける構成としてもよいものである。
【００４６】
上記構成により、水槽６内に貯水に隙間７を設けて浸漬された加湿フィルタ５およびイオン化促進部８は、イオン化傾向の異なる金属部９，１０をそれぞれ備えて近接して配置され、また接続部１１により互いに電気的に接合されることにより、水中に介在する隙間７には、２種類の金属部９，１０間にイオン化傾向の差異に起因する電位差が生まれ、一方の金属部から他方の金属部に微弱電流が流れ、電場を形成している。また、水槽６内の貯水には細菌などの微生物が侵入して繁殖する可能性があるが、その表面電荷として一定のマイナス電荷を有しているため、水中に電場を与えるとその電場の向きに応じて移動する。  すなわち、水中の電位差により発生する電場の向きにより、イオン化傾向の低い金属部からイオン化傾向の高い金属部へと帯電物質を引き寄せることができるという作用があり、マイナスに帯電した微生物がイオン化促進部８に集められ、水槽６中の除菌機能を発揮することができる。
【００４７】
また、微生物がイオン化促進部８に集められたとき、イオン化促進部８を水槽６部に着脱可能に設けることにより、イオン化促進部８のみを取り外して洗浄することができ、メンテナンス性を向上することができる。また、イオン化傾向の高い金属が優先的に溶出する作用により、長期間使用して金属の溶出により性能が低下した場合に、イオン化傾向の高いイオン化促進部８のみを交換して除菌効果を回復させることができる。特に、イオン化傾向の高い金属として亜鉛のような抗菌性を有する金属イオンの場合には、イオン化傾向の高い金属が優先的に溶出する作用で、水中のイオン濃度が早く増加することにより、抗菌効果をすばやく発揮することができる。
【００４８】
また、イオン化促進部８を１枚の金属板１２とすることにより、長期間使用によりイオン化促進部８に蓄積された汚れにより除菌性能が低下した場合に、金属板１２が平面であるため、洗いやすく、容易に除菌機能を回復させることができる。
【００４９】
また、加湿フィルタ５周囲を金属ネット１３で覆うことにより、加湿フィルタ５のメンテナンスなどで手が触れても表面形状が容易に変形しないようにして、長期間安定的に除菌性能を発揮することができ、さらにイオン化促進部８の金属部との距離を安定して保つことができる。なお、金属ネット１３は加工性を考慮すると、素材としてはＣｕ、Ａｌが利用しやすいものである。
【００５０】
また、加湿フィルタ５を回転可能に設けることにより、加湿フィルタ５が空気中の微生物をろ過して捕集した場合に、加湿フィルタ５の一部が水没する状態で回転させることによって、加湿フィルタ５に捕集した微生物が水槽６内に洗い出され、さらにイオン化促進部８により除菌されるため、加湿フィルタ５の表面を清潔な状態に保つことができる。また、加湿フィルタ５の回転により水槽６内の貯水を強制的に対流させることができ、イオン化促進部８に接触する水量を増やすことにより、水槽６内の貯水に対して広範囲に除菌機能を発揮することができる。
【００５１】
なお、一般的に金属部９，１０の配置の設定を変えることにより、マイナスに帯電した微生物を加湿フィルタ５またはイオン化促進部８のどちらか一方の金属部に集めることができる。金属部の材料は電気的な接合ができれば特に制約はなく、あらゆる導電性の材料が利用できるものであり、Ｐｔ、Ａｇ、Ｃｕ、Ｐｂ、Ｎｉ、Ｓｂ、Ｃｏ、Ｗ、Ｆｅ、Ｓｎ、Ｃｒ、Ｚｎ、Ｖ、Ａｌ、Ｔｉ、Ｚｒ、Ｍｇ、あるいはこれらの合金などの金属材料が挙げられる。特に、Ａｇ、Ｃｕ、Ｚｎは金属自体の抗菌性が強いため好ましく、Ｆｅ、Ｚｎ、Ａｌは比較的安価で安全なものとして有効に利用できる。
【００５２】
（実施の形態２）
図７に示すように、加湿フィルタ５に第２の金属部１０として、相対的にイオン化傾向の高い亜鉛の金属粒子を添着し、水槽６内に設けたイオン化促進部８に第１の金属部９として、相対的にイオン化傾向の低い銅製の金属平板を使用している。
【００５３】
上記構成により、イオン化促進部８にイオン化傾向の低い金属部を設けることにより、この金属部は溶出が少ないので、イオン化促進部８を交換することなく長期間イオン化を促進する性能を発揮することができる。また、長期間の使用にて汚れや劣化により加湿性能が低下する加湿フィルタ５に、溶出の早いイオン化傾向の高い金属部を付加する構成としているので、加湿性能が低下した加湿フィルタ５を交換することにより、同時に除菌機能も回復することができる。
【００５４】
このように本発明の実施の形態２の加湿装置によれば、加湿性能が低下した加湿フィルタ５を交換するだけで、イオン化促進部８を交換することなく、長期間安定して除菌機能を発揮することができることとなる。
【００５５】
（実施の形態３）
図８に示すように、加湿フィルタ５は通気性、導電性を有する立体構造の基材に第１の金属部として、相対的にイオン化傾向の低い銅の金属粒子を添着している。このとき、図９（イ）に示すように、加湿フィルタ５を包囲するように金属ネット１３を設け、この金属ネット１３は第２の金属部１０として、相対的にイオン化傾向の高い亜鉛材料を使用している。なお、図９（ロ）に示すように、金属ネット１３の代わりに、導電性の樹脂材料で形成した樹脂ネット１３ａに亜鉛の金属粒子１０ａを添着した合成ネットを用いることもできる。
【００５６】
上記構成により、通気性、導電性を有する立体構造の基材に、相対的にイオン化傾向の低い銅の金属粒子を添着して加湿フィルタ５を形成し、この加湿フィルタ５の周囲を覆う金属ネット１３が亜鉛材料で形成されることにより、加湿フィルタ５と金属ネット１３間に電界が生じ、水槽６中の除菌機能を発揮することができる。したがって、水槽６内にイオン化促進部８などの別部品を設置しなくても、水槽６内の貯水を簡単な構成で行なうことができ、部品点数を削減して省スペースで除菌機能を発揮させることができる。
【００５７】
このとき、加湿フィルタ５は導電性素材に銅の金属粒子を添着して形成され、加湿フィルタ５の周囲を金属ネット１３で密着して覆うことにより、加湿フィルタ５と金属ネット１３を電気的に接続させることができるとともに、加湿フィルタ５の表面側は金属ネット１３と微小な間隔を有して配置され、イオン化傾向の異なる２種類の金属の距離を確保することができ、水中で確実に除菌機能を発揮させることができる。さらに、水槽６内にイオン化促進部８を設ける必要がないため、水槽６内に余分なスペースを設ける必要がなく、加湿フィルタ５と金属ネット１３を洗浄するだけで加湿性能および除菌機能を回復することができ、性能を維持するためのメンテナンスが容易にできる。また、水槽６内の貯水のみならず、加湿フィルタ５に付着した微生物に対しても広範囲に除菌機能を発揮することができる。
【００５８】
また、金属ネット１３からイオン化傾向の高い金属が優先的に溶出して性能が低下した場合に、金属ネット１３のみを取り外して洗浄または交換することにより除菌効果を回復させることができ、メンテナンス性を向上することができる。
【００５９】
（実施の形態４）
図１０（イ）に示すように、加湿フィルタ５に第２の金属部１０として、相対的にイオン化傾向の高い亜鉛の金属粒子を添着し、加湿フィルタ５の周囲または一部を覆うように、第１の金属部９として、相対的にイオン化傾向の低い銅製の金属ネット１３を装着している。なお、図１０（ロ）に示すように、金属ネット１３に代えて、導電性の樹脂材料で形成した樹脂ネット１３ａに銅の金属粒子９ａを添着した合成ネットを用いることもできる。
【００６０】
上記構成により、金属ネット１３をイオン化傾向の低い銅材料で形成することにより、加湿フィルタ５の表面強度や外観形状を保ち、加湿フィルタ５を安定して保護するとともに、長期間イオン化を促進して除菌性能を発揮することができる。また、加湿フィルタ５が長期間の使用にて汚れや劣化により加湿性能が低下するときに、イオン化傾向の高い亜鉛の金属粒子も減少して除菌機能も低下しているので、亜鉛を添着した加湿フィルタ５のみを交換することにより、加湿機能だけでなく除菌機能も回復することができる。
【００６１】
（実施の形態５）
図１１〜図１３に示すように、加湿フィルタ５の周囲または一部を覆うように着脱可能に金属ネット１３を設けている。金属ネット１３は、イオン化傾向の異なる銅と亜鉛からなる２種類の金属部で形成されている。また、加湿フィルタ５と金属ネット１３は一部を水槽６に浸漬した状態で使用される。なお、金属ネット１３が略一体的に設けられた加湿フィルタ５を回転可能に設けた構成としてもよいものである。
【００６２】
上記構成により、金属ネット１３をイオン化傾向の異なる銅と亜鉛からなる２種類の金属部で形成することにより、水槽６内において除菌機能が発揮されるだけでなく、微生物が捕集された金属ネット１３表面を洗浄するだけで、除菌効果を回復することができ、メンテナンス性を向上することができる。また、加湿装置を長期間使用して除菌性能が低下しても、金属ネット１３を交換するだけで除菌機能を回復することができる。
【００６３】
また、回転可能とした加湿フィルタ５は加湿機能を発揮するときに、空気中の微生物をろ過捕集することもできるので、加湿フィルタ５の一部が水没する状態で回転させることによって、加湿フィルタ５に捕集された微生物が洗い出され、異種の金属部で形成された金属ネット１３に生じる除菌機能により、水中において微生物を不活化して、水槽６内の貯水を清潔な状態に保つことができる。また回転する加湿フィルタ５を覆う金属ネット１３の表面積を大きく取れるので、水中における除菌機能を安定的に維持することができる。
【産業上の利用可能性】
【００６４】
本発明の加湿装置は、イオン化傾向の異なる金属部を、加湿フィルタまたはイオン化促進部に付加して、簡単な構成で容易に水槽の貯水に対して除菌機能を発揮することができ、除菌機能を必要とする浄水機、給水装置、除湿機、エアコンなどの貯水槽に取り付けることにより、空調設備や給排水設備の除菌機能の用途にも適用できる。
【図面の簡単な説明】
【００６５】
【図１】本発明の実施の形態１の加湿装置の概略の側断面図
【図２】同水槽部の加湿フィルタの取付状態を示す概略断面図
【図３】同加湿装置の概略の正面断面図
【図４】同金属板を示す外観図
【図５】同加湿フィルタの金属ネットの取付状態を示す外観斜視図
【図６】同加湿装置の回転可能な加湿フィルタを示す概略の側断面図
【図７】同実施の形態２の水槽部の加湿フィルタの取付状態を示す概略断面図
【図８】同実施の形態３の加湿装置の概略の側断面図
【図９】同加湿フィルタを示す図（（イ）金属ネットの取付状態を示す外観斜視図、（ロ）樹脂ネットの模式断面図）
【図１０】同実施の形態４の加湿フィルタを示す図（（イ）金属ネットの取付状態を示す外観斜視図、（ロ）樹脂ネットの模式断面図）
【図１１】同実施の形態５の加湿装置の概略の側断面図
【図１２】同加湿フィルタと金属ネットの取付け状態を示す説明図
【図１３】同金属ネットの模式拡大図
【図１４】従来の加湿装置を示す分解斜視図
【図１５】同加湿装置の電極部を示す外観図
【符号の説明】
【００６６】
１    本体
１ａ  吸込口
１ｂ  吹出口
３    空気流路
４    送風機
５    加湿フィルタ
６    水槽
７    隙間
８    イオン化促進部
９    第１の金属部
１０  第２の金属部
１１  接続部
１２  金属板
１３  金属ネット
【図１】
2009058210.tif 000003
【図２】
2009058210.tif 000004
【図３】
2009058210.tif 000005
【図４】
2009058210.tif 000006
【図５】
2009058210.tif 000007
【図６】
2009058210.tif 000008
【図７】
2009058210.tif 000009
【図８】
2009058210.tif 000010
【図９】
2009058210.tif 000011
【図１１】
2009058210.tif 000012
【図１２】
2009058210.tif 000013
【図１３】
2009058210.tif 000014
【図１４】
2009058210.tif 000015
【図１５】
2009058210.tif 000016
【図１０】
2009058210.tif 000017